(57)【要約】【課題】配管接続部からの漏れを防止できる電磁流量計を提供する。【解決手段】測定管を有するウエハ型の電磁流量計において、前記測定管の両端にそれぞれ設けられ客先配管フランジの取付ボルトが貫通する貫通穴を有する板状の漏れ防止フランジと、この漏れ防止フランジと前記客先配管フランジとの間に設けられたガスケットと、前記測定管の両端側の外周面に設けられた取り付けねじと、この取り付けねじにねじ合わされ前記ガスケットが所定の潰し代が得られるように前記漏れ防止フランジを前記測定管の管軸方向に押圧して前記漏れ防止フランジを前記測定管に調整固定する調整固定手段とを具備したことを特徴とする電磁流量計である。【選択図】        図１
2004177200.tif 000002
【特許請求の範囲】
【請求項１】
測定管を有するウエハ型の電磁流量計において、
前記測定管の両端にそれぞれ設けられ客先配管フランジの取付ボルトが貫通する貫通穴を有する板状の漏れ防止フランジと、
この漏れ防止フランジと前記客先配管フランジとの間に設けられたガスケットと、
前記測定管の両端側の外周面に設けられた取り付けねじと、
この取り付けねじにねじ合わされ前記ガスケットが所定の潰し代が得られるように前記漏れ防止フランジを前記測定管の管軸方向に押圧して前記漏れ防止フランジを前記測定管に調整固定する調整固定手段と
を具備したことを特徴とする電磁流量計。
【請求項２】
前記調整固定手段として、
前記取り付けねじにねじ合わされ前記ガスケットが所定の潰し代が得られるように前記漏れ防止フランジを前記測定管の管軸方向に押圧し調整固定する調整リング
を具備したことを特徴とする請求項１記載の電磁流量計。
【請求項３】
測定管を有するウエハ型の電磁流量計において、
前記測定管の両端にそれぞれ設けられ客先配管フランジの取付ボルトが貫通する貫通穴を有する板状の漏れ防止フランジと、
この漏れ防止フランジと前記客先配管フランジとの間に設けられたガスケットと、
前記ガスケットが所定の潰し代が得られるように前記漏れ防止フランジを前記測定管の管軸方向に押圧して前記漏れ防止フランジを前記測定管に固定する固定手段と
を具備したことを特徴とする電磁流量計。
【請求項４】
前記固定手段として、
前記漏れ防止フランジに設けられた止めねじ穴と、
この止めねじ穴にねじ合わされて前記漏れ防止フランジを前記測定管に固定する止めねじと
を具備したことを特徴とする請求項３記載の電磁流量計。
【発明の詳細な説明】
【０００１】
【発明の属する技術分野】
本発明は、配管接続部からの漏れを防止できる電磁流量計に関するものである。
【０００２】
【従来の技術】
図５は、従来より一般に使用されている従来例の構成説明図で、例えば、Ｔｅｃｕｎｉｃａｌ  Ｉｎｆｏｒｍａｔｉｏｎ「電磁流量計の正しい選択方法と使い方」横河電機株式会社、１９９９年３月，５版発行、Ｐ１−６，１−１０に示されている（例えば、非特許文献１参照。）。
【０００３】
図において、１はウエハ型の電磁流量計の測定管である。
ウエハ型の電磁流量計の測定管１は、ガスケット２を介して、客先配管Ａの客先配管フランジＢにより挟み込まれ、取付ボルトＣとナットＤにより締め付け固定される。
【０００４】
ウエハ型の電磁流量計は、流量計側にフランジが無いため、安価である。
このため、ウエハ型の電磁流量計が採用される頻度は多い。
【０００５】
【特許文献１】
Ｔｅｃｕｎｉｃａｌ  Ｉｎｆｏｒｍａｔｉｏｎ「電磁流量計の正しい選択方法と使い方」横河電機株式会社、１９９９年３月，第５版発行、（Ｐ１−６，１−１０）
【０００６】
【発明が解決しようとする課題】
しかしながら、このような装置においては、以下の間題点がある。
（１）客先配管材料が、塩ビ等のプラスチック材料等の場合、取付ボルトＣを締め付けると、客先配管フランジＢが、図６に示す如く、矢印Ｘの様に変形し洩れてしまう。
【０００７】
（２）客先配管材料が、塩ビ等のプラスチック材料等の場合であって、腐食性の測定流体の場合、測定管１の材質をセラミックを採用して、フランジ付きタイプを採用したいが、セラミックは、圧縮に強いが引っ張りに弱い。
【０００８】
従って、フランジ取付型にすると、フランジと測定管との接合箇所Ｅに引っ張り応力が加わり割れてしまう。
結局、セラミック材質を採用する場合、ウエハ型が望ましい。
【０００９】
本発明の目的は、上記の課題を解決するもので、客先フランジが塩ビ等のプラスチック材であっても、ウエハ形の電磁流量計を洩れなく取り付けることを目的とし、配管接続部からの漏れを防止できる電磁流量計を提供することにある。
【００１０】
【課題を解決するための手段】
このような目的を達成するために、本発明では、請求項１記載の電磁流量計においては、
測定管を有するウエハ型の電磁流量計において、
前記測定管の両端にそれぞれ設けられ客先配管フランジの取付ボルトが貫通する貫通穴を有する板状の漏れ防止フランジと、この漏れ防止フランジと前記客先配管フランジとの間に設けられたガスケットと、前記測定管の両端側の外周面に設けられた取り付けねじと、この取り付けねじにねじ合わされ前記ガスケットが所定の潰し代が得られるように前記漏れ防止フランジを前記測定管の管軸方向に押圧して前記漏れ防止フランジを前記測定管に調整固定する調整固定手段とを具備したことを特徴とする。
【００１１】
本発明の請求項２においては、請求項１記載の電磁流量計において、
前記調整固定手段として、前記取り付けねじにねじ合わされ前記ガスケットが所定の潰し代が得られるように前記漏れ防止フランジを前記測定管の管軸方向に押圧し調整固定する調整リングを具備したことを特徴とする。
【００１２】
本発明の請求項３においては、
測定管を有するウエハ型の電磁流量計において、
前記測定管の両端にそれぞれ設けられ客先配管フランジの取付ボルトが貫通する貫通穴を有する板状の漏れ防止フランジと、この漏れ防止フランジと前記客先配管フランジとの間に設けられたガスケットと、前記ガスケットが所定の潰し代が得られるように前記漏れ防止フランジを前記測定管の管軸方向に押圧して前記漏れ防止フランジを前記測定管に固定する固定手段とを具備したことを特徴とする。
【００１３】
本発明の請求項４においては、請求項３記載の電磁流量計において、
前記固定手段として、前記漏れ防止フランジに設けられた止めねじ穴と、この止めねじ穴にねじ合わされて前記漏れ防止フランジを前記測定管に固定する止めねじとを具備したことを特徴とする。
【００１４】
【発明の実施の形態】
以下図面を用いて本発明を詳しく説明する。
図１は本発明の一実施例の要部組立説明図、図２は図１の詳細説明図である。
図において、図５と同一記号の構成は同一機能を表す。
以下、図５と相違部分のみ説明する。
【００１５】
１１は、ウエハ型の電磁流量計の測定管である。
板状の漏れ防止フランジ１２は、測定管１１の両端にそれぞれ設けられ、客先配管フランジＢの取付ボルトＣが貫通する貫通穴を有する。
ガスケット１３は、この漏れ防止フランジ１２と客先配管フランジＢとの間に設けられている。
【００１６】
取り付けねじ１４は、測定管１１の両端側の外周面に設けられている。
調整固定手段１５は、取り付けねじ１４にねじ合わされ、ガスケット１３が所定の潰し代が得られるように、漏れ防止フランジ１２を測定管１１の管軸方向に押圧して、漏れ防止フランジ１２を測定管１１に調整固定する。
【００１７】
この場合は、調整固定手段１５として、取り付けねじ１４にねじ合わされ、ガスケット１３が所定の潰し代が得られるように、漏れ防止フランジ１２を測定管１１の管軸方向に押圧し調整固定する調整リング１５１が使用されている。
【００１８】
以上の構成において、漏れ防止フランジ１２と客先配管フランジＢ間の寸法を、ガスケット１３のつぶし代を考慮して決め、その間隔になるように、調整リング１５を回転させ調整する。
【００１９】
測定管１１の両側の漏れ防止フランジ１２を調整する。
通常の締付力で取付ボルトＣとナットＤとを取り付ける。
客先配管フランジＢが変形しても、漏れ防止フランジ１２によりそれ以上の変形を生じないため所定の締付力が得られる。
【００２０】
この結果、
（１）塩ビ等のプラスチック配管のような強度がそれほど強くない客先配管Ｂと、電磁流量計との配管結合部からの洩れを防止でき、配管接続部からの漏れを防止できる電磁流量計が得られる。
【００２１】
（２）塩ビ等のプラスチック配管のような強度がそれほど強くない客先配管Ｂに対しても、引っ張りの応力に弱いセラミック材の測定管１１からなる電磁流量計を使用することができる電磁流量計が得られる。
【００２２】
（３）測定管１１の外周に補強を行って重量が重くなり、プラスチックの客先配管Ｂに負担が掛かり、また、コストアップになる恐れが無い電磁流量計が得られる。
（４）測定管１１に設けられた取り付けねじ１４に、ねじ合わされた調整リング１５１が設けられたので、ガスケット１３が所定の潰し代が得られるように容易に微妙に調整できる電磁流量計が得られる。
【００２３】
図３は、本発明の他の実施例の要部構成説明図である。
本実施例において、２１は、ウエハ型の電磁流量計の測定管である。
板状の漏れ防止フランジ２２は、測定管２１の両端にそれぞれ設けられ、客先配管フランジＢの取付ボルトＣが貫通する貫通穴を有する。
【００２４】
ガスケット２３は、漏れ防止フランジ２２と客先配管フランジＢとの間に設けられている。
固定手段２４は、ガスケット２３が所定の潰し代が得られるように、漏れ防止フランジ２２を測定管２１の管軸方向に押圧して、漏れ防止フランジ２２を測定管２１に固定する。
【００２５】
この場合は、固定手段２４として、漏れ防止フランジ２２に設けられた止めねじ穴２４１と、止めねじ穴２４１にねじ合わされて、漏れ防止フランジ２２を測定管２１に固定する止めねじ２４２とよりなる。
【００２６】
以上の構成において、漏れ防止フランジ２２と客先配管フランジＢ間の寸法を、ガスケット２３のつぶし代を考慮して決め、その間隔になるように、防止フランジ２２を押しねじ２４２で測定管２１に固定する。
【００２７】
両側のもれ防止フランジ２２を調整する。
通常の締付力で取り付ける。
客先配管フランジＢが変形しても、漏れ防止フランジ２２により、それ以上の変形を生じないため所定の締付力が得られる。
【００２８】
この結果、
（１）ガスケット２３が所定の潰し代が得られるように、漏れ防止フランジ２２を測定管２１の管軸方向に押圧して、漏れ防止フランジ２２を測定管２１に固定する固定手段２４が設けられたので、固定手段２４の構成を簡潔に出来安価な電磁流量計が得られる。
【００２９】
（２）固定手段２４として、漏れ防止フランジ２２に設けられた止めねじ穴２４１と、この止めねじ穴２４１にねじ合わされて、漏れ防止フランジ２２を測定管２１に固定する止めねじ２４２とが設けられたので、止めねじ２４２は市場性が有り容易に入手できるので、安価な電磁流量計が得られる。
【００３０】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００３１】
【発明の効果】
以上説明したように、本発明の請求項１によれば、次のような効果がある。
（１）塩ビ等のプラスチック配管のような強度がそれほど強くない客先配管と、電磁流量計との配管結合部からの洩れを防止でき、配管接続部からの漏れを防止できる電磁流量計が得られる。
【００３２】
（２）塩ビ等のプラスチック配管のような強度がそれほど強くない客先配管に対しても、引っ張りの応力に弱いセラミック材の測定管からなる電磁流量計を使用することができる電磁流量計が得られる。
【００３３】
（３）測定管の外周に補強を行って重量が重くなり、プラスチック配管等に負担が掛かり、またコストアップになる恐れが無い電磁流量計が得られる。
【００３４】
本発明の請求項２によれば、次のような効果がある。
測定管に設けられた取り付けねじに、ねじ合わされた調整リングが設けられたので、ガスケットが所定の潰し代が得られるように容易に微妙に調整できる電磁流量計が得られる。
【００３５】
本発明の請求項３によれば、次のような効果がある。
ガスケットが所定の潰し代が得られるように、漏れ防止フランジを測定管の管軸方向に押圧して、漏れ防止フランジを測定管に固定する固定手段が設けられたので、固定手段の構成を簡潔に出来安価な電磁流量計が得られる。
【００３６】
本発明の請求項４によれば、次のような効果がある。
固定手段として、漏れ防止フランジに設けられた止めねじ穴と、この止めねじ穴にねじ合わされて、漏れ防止フランジを測定管に固定する止めねじとが設けられたので、止めねじは市場性が有り容易に入手できるので、安価な電磁流量計が得られる。
【００３７】
従って、本発明によれば、配管接続部からの漏れを防止できる電磁流量計を実現することが出来る。
【図面の簡単な説明】
【図１】本発明の一実施例の要部構成説明図である。
【図２】図１の要部詳細説明図である。
【図３】本発明の他の実施例の要部構成説明図である。
【図４】図３の要部詳細説明図である。
【図５】従来より一般に使用されている従来例の要部構成説明図である。
【図６】図５の動作説明図である。
【符号の説明】
１１    測定管
１２    漏れ防止フランジ
１３    ガスケット
１４    取り付けねじ
１５    調整固定手段
１５１  調整リング
２１    測定管
２２    漏れ防止フランジ
２３    ガスケット
２４    固定手段
２４１  止めねじ穴
２４２  止めねじ
Ａ      客先配管
Ｂ      客先配管フランジ
Ｃ      取付ボルト
Ｄ      ナット
ＦＬ    測定流体
【図１】
2004177200.tif 000003
【図２】
2004177200.tif 000004
【図３】
2004177200.tif 000005
【図４】
2004177200.tif 000006
【図５】
2004177200.tif 000007
【図６】
2004177200.tif 000008